(57)【要約】【課題】  二次元バーコードを表示させることで、携帯電話機とインターネットウェブを利用して十分な広告情報を提供することができ、特に、箸袋において、皺寄りや折れ曲りやが生じ難い場所に二次元バーコードを表示させることで、二次元バーコードを確実に読み取ることができ、お客に対し失礼がないようにした割り箸用箸袋の提供。【解決手段】  長手方向端部が開口された短冊状の袋体１０が形成され、袋体の長手方向の端部に表紙の他端縁から袋体内部に割り箸を抜き差しさせるための開口部１３が形成されると共に、裏紙の長手方向の端部に開口部から長手方向に延長した延長紙片部３１が形成され、この裏紙に形成された延長紙片部の表面及び／又は裏面にＱＲコードを含む二次元バーコードＣが表示されている。【選択図】  図１
2008286817.tif 000002
【特許請求の範囲】
【請求項１】
表紙（２）と裏紙（３）を備え、この裏紙（３）の長さ方向全長が表紙（２）の長さ方向全長よりも長く形成され、表紙（２）と裏紙（３）の長手方向の一端縁同士が揃えて閉塞されると共に表紙（２）と裏紙（３）の両側縁が閉塞されることで、長手方向他端部が開口された短冊状の袋体（１０）が形成され、
前記袋体（１０）の長手方向の他端部に表紙（２）の他端縁（２０）から袋体（１０）内部に割り箸（９）を抜き差しさせるための開口部（１３）が形成されると共に、前記裏紙（３）の長手方向の他端部に開口部（１３）から長手方向に延長した延長紙片部（３１）が形成されている割り箸用箸袋であって、
前記裏紙（３）に形成された延長紙片部（３１）の表面及び／又は裏面にＱＲコードを含む二次元バーコード（Ｃ）が表示されていることを特徴とする割り箸用箸袋。
【発明の詳細な説明】
【技術分野】
【０００１】
本発明は、飲食店や弁当販売店（コンビニエンスストアやスーパマーケット等を含む）において、お客に提供する割り箸を包装するための箸袋に関し、特に広告媒体としての価値を高めることができる割り箸用箸袋に関する。
【背景技術】
【０００２】
従来から、飲食店において食事をする際、或いは弁当販売店で購入した弁当を食する際には、飲食店や弁当販売店で提供された割り箸が用いられることが多い。
この割り箸は、箸袋に差込まれているためお客の目に付き易く、それを利用して店名や電話番号、開設するウェブページへアクセスするためのＵＲＬや電子メールアドレス等を文字（数字）によって表示させ、その店自身の広告のような役割を持たせている（特許文献１参照）。
【０００３】
しかしながら、箸袋に単に店名や電話番号やＵＲＬ等が表示されているだけでは、お客にとっては通常の広告に過ぎず、多少の印象付けにはなるものの特別に新たな情報が得られるわけではない。
【０００４】
近年、インターネットの急激な普及に伴い、携帯電話機のバーコードリーダによって読み取り可能な二次元バーコード（商標：ＱＲコードを含む）をポケット型ティッシュの袋体に表示させたものが知られている（特許文献２参照）。
したがって、このポケット型ティッシュの配布を受けた者が、その袋体に表示された二次元バーコードの情報を携帯電話機のバーコードリーダによって読み取り、その取得情報に基づきにインターネットウェブサイトに公開されているホームページにアクセスすれば種々の情報を手軽に取得することができる。
【０００５】
しかしながら、従来、割り箸用箸袋については、二次元バーコードを表示したものは見受けられない。
特に、割り箸用箸袋については、その内部に割り箸を挿入させておくため、割り箸の抜き差しに伴う膨らみによって箸袋を構成する表紙や裏紙に皺寄りや折り曲りが生じ易く、仮に箸袋に二次元バーコードを表示させたとしても、この二次元バーコードの表示に皺寄り折れ曲がりが生じていれば、バーコードリーダによる読み取りができなくなり、これでは二次元バーコードを表示させた意味が無くなるし、お客に対し大変失礼になってしまうという問題が生じる。
【特許文献１】特許公開２００１−３０６０１１号公報
【特許文献２】特許公開２００６−１０６８７８号公報
【発明の開示】
【発明が解決しようとする課題】
【０００６】
本発明は、二次元バーコードを表示させることで、携帯電話機とインターネットウェブを利用して十分な広告情報を提供することができ、特に、箸袋において、皺寄りや折れ曲りが生じ難い場所に二次元バーコードを表示させることで、二次元バーコードを確実に読み取ることができ、お客に対し失礼がないようにした割り箸用箸袋を提供することを課題としている。
【課題を解決するための手段】
【０００７】
上記の課題を解決するために、本発明の割り箸用箸袋は、
表紙（２）と裏紙（３）を備え、この裏紙（３）の長さ方向全長が表紙（２）の長さ方向全長よりも長く形成され、表紙（２）と裏紙（３）の長手方向の一端縁同士が揃えて閉塞されると共に表紙（２）と裏紙（３）の両側縁が閉塞されることで、長手方向他端部が開口された短冊状の袋体（１０）が形成され、
前記袋体（１０）の長手方向の他端部に表紙（２）の他端縁（２０）から袋体（１０）内部に割り箸（９）を抜き差しさせるための開口部（１３）が形成されると共に、前記裏紙（３）の長手方向の他端部に開口部（１３）から長手方向に延長した延長紙片部（３１）が形成されている割り箸用箸袋であって、
前記裏紙（３）に形成された延長紙片部（３１）の表面及び／又は裏面にＱＲコードを含む二次元バーコード（Ｃ）が表示されている構成とした。
【０００８】
なお、上記カッコ内の符号は、後述する実施例に記載した具体的手段との対応関係を示すものである。
【発明の効果】
【０００９】
本発明によれば、単位面積当りの記録容量が多く、しかも読み取り方向性についても制約がないＱＲコードを含む二次元バーコードが箸袋に表示されているため、お客が所有している携帯電話機により、お客を当該飲食店のインターネットウェブサイトに容易且つ高確率で誘導し、多くの広告情報を提供することができる。
【００１０】
割り箸用箸袋は、短冊状の袋体に形成され、その一端部に割り箸を抜き差しさせるための開口部が形成されている。
したがって、箸袋に割り箸を挿入させると、その割り箸によって箸袋が膨らみを持ち、その膨らみに伴う皺寄りや折れ曲りが割り箸を抜き取った後も残っていることが多いし、お客が手荒く扱えば箸袋に皺寄りや折れ曲りが生じ易くなる。
このような箸袋に二次元バーコードを表示させた場合、この二次元バーコードを携帯電話機のバーコードリーダによって正確に読み取るには、表示した二次元バーコードに皺寄りや折れ曲がりが生じているのは禁物であり、箸袋において皺寄りや折れ曲りが生じ難い部分に二次元バーコードを表示させることが特に重要になる。
【００１１】
この点において、本発明の箸袋では、裏紙に形成された延長紙片部の表面及び／又は裏面にＱＲコードを含む二次元バーコードを表示させている。
即ち、表紙と裏紙とが重なり合った部分は袋体に形成されるため、割り箸の抜き差しに伴う膨らみによって皺寄りや折れ曲がりが生じ易くなるが、裏紙に形成された延長紙片部は袋体に形成されていないため、膨らみが生じ難く二次元バーコードの表示場所として最適であり、皺寄りや折れ曲がりが少ない状態で二次元バーコードを表示させることができ、結果として携帯電話機のバーコードリーダを用いて正確に読み取らせることができる。
【発明を実施するための最良の形態】
【００１２】
図１は本発明実施例の割り箸用箸袋を示す一部切欠表面図、図２は一部切欠裏面図である。
【００１３】
本実施の割り箸用箸袋１は、割り箸９を収容するための袋体であって、短冊状の表紙２と裏紙３を備え、裏紙３の長さ方向全長が表紙２の長さ方向全長よりも長く形成されている。
そして、表紙２と裏紙３の長手方向の一端縁同士が折り返し部１１によって閉塞されると共に表紙２と裏紙３の両側縁がのり付け部１２，１２により閉塞されることで、長手方向一端部が閉塞されると共に長手方向他端部が開口された短冊状の袋体に形成されている。
【００１４】
即ち、表紙２の長さ方向全長が裏紙３の長さ方向全長がよりも短く形成されているため、この表紙２と裏紙３とが重なり合った部分が袋体１０に形成され、表紙２の他端縁２０が袋体１０の開口部１３として形成され、かつ裏紙３が表紙２よりも長く形成されているため、裏紙３の他端部分に開口部１３から長手方向に延長した延長紙片部３１が形成されている。
【００１５】
なお、この実施例では、開口部１３を形成させる表紙２の他端縁２０は、箸袋１の幅方向に対して略３０度（１５度から４５度程度が適当）の角度を持つ傾斜縁に形成されているが、傾斜を付けずに幅方向に対し平行に形成させることができるのは勿論である。
又、箸袋１を構成する表紙２及び裏紙３の素材には、主に紙材が用いられるが、プラスチックフィルムやプラスチックフィルムでコーティングした紙材を用いることができるし、その製袋方法も適宜である。
【００１６】
そして、図示省略したが、前記箸袋１の表面及び／又は裏面には、店名、電話番号、簡単なキャッチコピー、当該店のウェブページへアクセスするためのＵＲＬや電子メールアドレス等が表示されている。
【００１７】
又、前記裏紙３に形成された延長紙片部３１の表面及び裏面の両面（表面又は裏面のいずれかの面でもよい）にＱＲコードを含む二次元バーコードＣが表示されている。
本実施例においては、当該店のウェブページへアクセスするためのＵＲＬが書き込まれていて、当該ＵＲＬに自動的にアクセスされるようになっている。
前記ＱＲコード（商標）は、最低サイズでも縦×横が９ｍｍ×９ｍｍで、その周囲に１ｍｍの余白を設けることが必要とされており、このサイズのＱＲコード（商標）を表示するに足りる空欄を前記裏紙３の延長紙片部３１に設ける必要がある。
【００１８】
前記二次元バーコードＣとしてはＵＲＬに限らず、メールアドレスや広告内容を直接携帯電話機のディスプレイに表示するためのテキストデータ等の情報を記録しておいてもよい。これらの情報を携帯電話機のバーコードリーダにより読み取って取得させ、その取得情報に基づき自動的にインターネットウェブサイトにアクセスさせるようになっている。
【００１９】
ＱＲコードを含む二次元バーコードＣは、一次元バーコードと比較して単位面積当りの記録容量が圧倒的に多いので小さな面積に多くのデータを記録することがで、また、読み取り方向性についても制約がないので携帯電話機によるデータ取得操作が容易である。
【００２０】
すなわち、二次元バーコードＣに記録されている各種情報を携帯電話機のバーコードリーダによって確実かつ簡便に読み取らせることができるので、利用者の情報入力に要する負担が軽減されるのは勿論、二次元バーコードに記録されている情報が例えばＵＲＬである場合には、広告主のホームページに確実にアクセスしてもらうことができ、より多くの広告情報を提供することができるのである。
【００２１】
そして、前記二次元バーコードは、裏紙３に形成された延長紙片部３１の表面及び裏面の両面に表示されるもので、即ち、表紙２と裏紙３とが重なり合った部分は袋体１０に形成されるため、割り箸９の抜き差しによって膨らみや皺が生じ易くなるが、裏紙３に形成された延長紙片部３１は袋体１０に形成されていないため、膨らみや皺が生じ難く二次元バーコードＣの表示場所として最適であり、皺寄りや折れ曲りが少ない状態で二次元バーコードＣを表示させることができ、結果として携帯電話機のバーコードリーダを用いて正確に読み取らせることができる。
【００２２】
近年における携帯電話機の普及はめざましく、携帯電話機を介しての宣伝広告の効果は非常に高い。また、ＱＲコードを含む二次元バーコードの利用も多く見られ、前記したように、宣伝広告用に頒布されるポケット型ティッシュに二次元バーコードが表示されているところが多く見受けられる。
しかしながら、このように不特定多数の人に対し配布するポケット型ティッシュでは、そこに付されている二次元バーコードに関心を持ち、その場で携帯電話機を取り出し二次元バーコードを読み取って当該ホームページにアクセスする可能性は極めて低いものと考えられる。
【００２３】
これに対し、割り箸は飲食店や弁当店等でお客一人一人に渡されるのが通例で、お客という特定な対象に配布されるものであるため、ほぼ確実に使用されるものである。
したがって、少なくとも箸袋１に印刷された店名等の広告表示及び二次元バーコードＣをお客が見る確率が高いことは確かであり、加えて、使用時（料理待ちの間又は飲食中）の状況を考えると、二次元バーコードＣに関心を持ち、その場で携帯電話機を取り出し当該二次元バーコードＣを読み込ませる可能性は極めて高い。
このような状況において、二次元バーコードＣを表示する箸袋１に皺寄りや折れ曲りが生じていると、お客に対して大変失礼であるし、読み取りができない場合には広告としては逆効果になってしまう。
【００２４】
そこで、本発明のように、裏紙３に形成された延長紙片部３１の表面及び／又は裏面にＱＲコードを含む二次元バーコードＣを表示させれば、この場所は袋体１０に形成されていないため、膨らみや皺が生じ難く二次元バーコードＣの表示場所として最適であり、皺寄りや折れ曲がりが少ない状態で二次元バーコードＣを表示させることができ、結果として携帯電話機のバーコードリーダを用いて正確に読み取らせることができる。
【図面の簡単な説明】
【００２５】
【図１】本発明実施例の割り箸用箸袋を示す一部切欠表面図である。
【図２】一部切欠裏面図である。
【符号の説明】
【００２６】
１  割り箸用箸袋
２  表紙
３  裏紙
９  割り箸
１０  袋体
１１  折り返し部
１２  のり付け部
１３  開口部
２０  他端縁
３１  延長紙片部
Ｃ  二次元バーコード
【図１】
2008286817.tif 000003
【図２】
2008286817.tif 000004